(57)【要約】      （修正有）【課題】仕立て後の切断や分離を伴わないで振袖タイプの衣装を引き振袖や留袖等に自由に転用できる振袖を提供する。【解決手段】袖丈を振袖用に仕立てた振袖衣装であって、身丈Ｌ１を有する前後の身ごろ２の裾端に、引き振袖の身丈を補う付加裾丈Ｌ２を有する付加裾８を延長させて設け、付加裾を内側に折返して通常の振袖衣装用の身丈にするとともに、付加裾の折返し端を前後の身ごろの内側に解き離し可能に縫着しておくことにより、引き振袖としての仕立て直しが可能に構成されている。また、左右の袖部４が袖口３側において留袖又は訪問着の袖丈Ｌ３を備えた上袖部４ａと、その下側に連続して振袖の袖丈を補う下袖部丈Ｌ４を備えた下袖部４ｂとからなり、下袖部の下端を内側より引上げて全体を上袖部の内側で互に重なり合うように折込み、下袖部を上袖部に解き離し可能に縫着しておくことにより、振袖衣装として復元させることが可能に構成されている。【選択図】図１
2018104881.tif 000002
【特許請求の範囲】
【請求項１】
袖丈を振袖用に仕立てた振袖衣装であって、身丈（Ｌ１）を有する前後の身ごろ（１），（２）の裾端に、引き振袖の身丈（Ｌ１＋Ｌ２）を補う付加裾丈（Ｌ２）を有する付加裾（８）を延長させて設け、該付加裾（８）を内側に折返して通常の振袖衣装用の身丈（Ｌ１）にするとともに、上記付加裾（８）の折返し端を前後の身ごろ（１），（２）の内側に解き離し可能に縫着して振袖衣装として仕立て、上記付加裾（８）の折返し端の縫着を解き離し且つ伸展して仕立て直しすることにより引き振袖としての仕立てが可能に構成された多目的転用振袖。
【請求項２】
左右の袖部（４）が袖口（３）側において留袖又は訪問着の袖丈（Ｌ３）を備えた上袖部（４ａ）と、その下側に連続して振袖の袖丈（Ｌ３＋Ｌ４）を補う下袖部丈（Ｌ４）を備えた下袖部（４ｂ）とからなり、下袖部（４ｂ）の下端を内側より引上げて全体を上袖部（４ａ）の内側で互に重なり合うように折込み、当該折込み状態で下袖部（４ｂ）を上袖部（４ａ）に解き離し可能に縫着して留袖又は訪問着衣装として仕立て、上記縫着された縫着部（１２）を解き離すことにより全体を振袖衣装として復元させることを可能にした請求項１に記載の多目的転用振袖。
【請求項３】
前後の身ごろ（１），（２）における付加裾（８）の境界となる折返しの折目（７）の上側と下側に連続する身ごろ模様（１４ａ），（１４ｂ）を施してなる請求項１又は２のいずれかに記載の多目的転用振袖。
【請求項４】
前後の身ごろ（１），（２）における付加裾（８）の境界となる折返しの折目（７）の下側の付加裾（８）側に限定して身ごろ模様（１４ｃ）を施してなる請求項１又は２のいずれかに記載の多目的転用振袖。
【発明の詳細な説明】
【技術分野】
【０００１】
この発明は、独身女子が着用する振袖衣装を結婚式用の引き振袖又はさらに留袖又は訪問着に、布地の切断や接合（継ぎ合わせ）を伴うことなく相互に仕立て直しして転用できる多目的転用振袖に関する。
【背景技術】
【０００２】
一般に成人式その他の慶事のイベントに独身女子が出席する際に着用する振袖は、その着用回数が極めて限られているにも拘らず、洋装用の衣装に比して高価であるために仕立てや購入が敬遠され勝ちである。
【０００３】
また振袖を所持している女子も自らの結婚式に引き振袖の着用を希望する場合は、自分の振袖が如何に気に入ったものでも別途仕立てるかレンタル衣装等で賄う他はないのが現状である。
【０００４】
他方、着用の機会や年代が限られる振袖は結婚後や一定年代になった以後は留袖や訪問着等に仕立て直すことによって着用する他はなく、この仕立て直しを行うと原則的には振袖や引き振袖に再度仕立て直しによって元通りに復元することは困難であり、振袖自体が不経済であるとの観念は変わらず、全体として普及が妨げられている原因の一つであると考えられている。
【０００５】
これらの問題に対し、特許文献１に示すように振袖用の両袖の前袖と後袖の模様を袖丈の１／２以下に限定し、その１／２境界部で切断、再縫製することで振袖、色留袖、訪問着を相互に変化させる発明が公知である。
【０００６】
また特許文献２で示されるように振袖の袖丈の中間位置で留袖用と振袖用に組換えられるように上下に分割再接合可能に分割形成したものが知られている。
【先行技術文献】
【特許文献】
【０００７】
【特許文献１】特開平５−７１００１号公報
【特許文献２】特開２００４−３５３０９８号公報
【発明の概要】
【発明が解決しようとする課題】
【０００８】
しかし上記特許文献１のものでは、振袖を留袖や訪問着に転用するには左右の前後の袖を中間部で切断して仕立て直す必要があるほか、再度これを振袖に仕立て直すには切断した左右の前袖、後袖を再度接合する必要がある。
【０００９】
また特許文献２のものは、振袖の袖部自体が予め上下に分割されており、これを係止具によって接合係止する構造になっており、留袖にするには袖の下半部を除去して前後袖を矢張り係止具で固着する必要がある。
【００１０】
いずれの場合も少なくとも振袖に戻されたものは、前後の袖が中間で縫合や着脱具によって接合されている不自然さや違和感が残り、広く普及しない原因でもある。
【００１１】
これに対し、本発明の多目的転用振袖は、振袖を結婚式用の引き振袖に仕立て直しでき、さらにこれらを留袖や訪問着等にも仕立て直しできる振袖を提供するものである。さらにこれらの相互の仕立て直しを布地の切断や再接合を伴うことなく且つ再仕立てした後でも違和感なく、目的とする本来の衣装と同一のものが復元できる振袖を提供しようとするものである。
【課題を解決するための手段】
【００１２】
上記課題を解決するための本発明の振袖は、第１に、袖丈を振袖用に仕立てた振袖衣装であって、身丈Ｌ１を有する前後の身ごろ１，２の裾端に、引き振袖の身丈Ｌ１＋Ｌ２を補う付加裾丈Ｌ２を有する付加裾８を延長させて設け、該付加裾８を内側に折返して通常の振袖衣装用の身丈Ｌ１にするとともに、上記付加裾８の折返し端を前後の身ごろ１，２の内側に解き離し可能に縫着して振袖衣装として仕立て、上記付加裾８の折返し端の縫着を解き離し且つ伸展して仕立て直しすることにより引き振袖としての仕立てが可能に構成されたことを特徴としている。
【００１３】
第２に、左右の袖部４が袖口３側において留袖又は訪問着の袖丈Ｌ３を備えた上袖部４ａと、その下側に連続して振袖の袖丈Ｌ３＋Ｌ４を補う下袖部丈Ｌ４を備えた下袖部４ｂとからなり、下袖部４ｂの下端を内側より引上げて全体を上袖部４ａの内側で互に重なり合うように折込み、当該折込み状態で下袖部４ｂを上袖部４ａに解き離し可能に縫着して留袖又は訪問着衣装として仕立て、上記縫着された縫着部１２を解き離すことにより全体を振袖衣装として復元させることを可能にしたことを特徴としている。
【００１４】
第３に、前後の身ごろ１，２における付加裾８の境界となる折返しの折目７の上側と下側に連続する身ごろ模様１４ａ，１４ｂを施してなることを特徴としている。
【００１５】
第４に、前後の身ごろ１，２における付加裾８の境界となる折返しの折目７の下側の付加裾８側に限定して身ごろ模様１４ｃを施してなることを特徴としている。
【発明の効果】
【００１６】
以上のように構成される本発明によれば、次のような具体的効果を奏する。
（１）前後の身ごろの裾端に付加裾を延設して付加裾を裏側に折返し縫着することで、少なくとも振袖と引き振袖を簡単な仮止め縫製や解き離し作業により自由に仕立て変更することができ、若い未婚時代の晴れ着を結婚式用衣装にも転用できる利点がある。
【００１７】
（２）また振袖の下袖部を上袖部内に折り込んで仮縫製し、逆にその仮縫製部を解き離すことにより、振袖を留袖、訪問着のいずれにも再仕立てでき且つその逆の仕立て直しもできるほか、この場合も布地の切断や再接合等を伴わないので、違和感なく又は購入した者に限らず、複数代にわたって各種衣装への繰り返し転用ができる。
【００１８】
（３）その他両袖の前後袖の模様配置を上下に分けて各種工夫をこらし、又は身ごろと付加裾の境界部（折目）を境にした模様の振分けを工夫することにより、さらに多様な目的への転用が可能である等の利点があり、全体として振袖衣装の普及に資する処が大きいものとなる。
【図面の簡単な説明】
【００１９】
【図１】本発明の振袖衣装の前身ごろ及び裾を広げた状態の背面図である。
【図２】同じく振袖衣装の前身ごろ及び裾の片側を広げた状態の正面図である。
【図３】（Ａ）は本発明の衣装の前後の身ごろの裾側のＡ−Ａ拡大断面図、（Ｂ）は同じく袖部の全袖丈にわたる部分のＢ−Ｂ拡大断面図である。
【発明を実施するための形態】
【００２０】
以下図示する本発明の振袖衣装の１実施例につき説明すると、図１，図２に示すように女子用の和服衣装である最も一般的な振袖は、身体の胴部及び下肢を覆う前身ごろ１（以下本実施例では便宜上「衽（おくみ）」も含めて表現する）と、後身ごろ２の左右両側に袖口３を備えた袖部４が縫着され、前後の身ごろ１，２の上半部の正面中央は衿６が付されている（但し、本例に示す図面の図１，図２，図３（Ｂ）は、いずれも振袖は仮想線で示しており、袖部４の実線表示は後述する下袖部４ｂを上袖部４ａ内に畳み込んだ留袖又は訪問着仕様で示されている。）。
【００２１】
前後の身ごろ１，２の下端には左右方向の折目７を介して下側に延びる付加裾８が延長して付加されており、この付加裾８は前後の身ごろ１，２の身丈Ｌ１に対して引き振袖用の裾として付加されるべき付加裾丈Ｌ２を補う寸法及び形状に形成されている。また付加裾８の下端（裾端）は後に述べる引き振袖の形態で使用する（仕立てた）際の摺れ防止用の帯状のカバー布９が被覆されて縫着され、その内部には綿等の詰め物１０が施されている。尚、図３（Ａ），（Ｂ）においては身ごろ１，２及び袖部４の内面側の裏地は省略して図示されている。
【００２２】
そして通常の振袖又は留袖として使用する時は付加裾８を折目７を介して前後の身ごろ１，２の内側に折返し、付加裾８の下端（裾端）を前後の身ごろ１，２の内側に仮付縫着（縫目１１）することにより、振袖又は留袖（衣装の色や模様等によっては訪問着）用の身丈Ｌ１に仕立てられる。上記縫目１１を解き離す（カットする）ことにより、結婚式用の正装である引き振袖の付加裾丈Ｌ２を補って使用できる。
【００２３】
この袖部４は、基本的には袖丈Ｌ３，Ｌ４を合計した袖丈からなる振袖衣装として仕立てられているが、下半部の下袖部４ｂを図３（Ｂ）に示すように下端の裾端を上部の上袖部４ａ内の前袖４ｍ後袖４ｎ間の最上部位置に引き上げ（引き込み）、袖部４の袖丈がＬ３になる位置で下袖部４ｂの袖端を上袖部４ａの前袖４ｍと後袖４ｎの内面上端に縫目１２で仮縫着することにより、衣装自体は留袖又は訪問着仕様（スタイル）に仕立てられる。このスタイルの下部袖端は縫目１３により縫着される。
【００２４】
この時、上袖丈Ｌ３と下袖丈Ｌ４は仕立ての都合により多少の誤差は生じ得るものの概ね等しい。そして着用者の身長の大小により全体の袖丈そのものが異なる（例えば１６０ｃｍの伸長では袖丈３尺、同１５５ｃｍの場合は２尺９寸、同１５０ｃｍの場合は２尺８寸等のように）。
また上部袖４ａの内面に下部袖４ｂの折込状態での上端が内面に対して縫着され且つその縫目１２が袖４の上部表面に表れないように形成される。また上記のように上袖部４ａ内に下袖部４ｂを引き込んで重なる際、引き込み状態での下袖部４ｂの左右両側は袖口３の開口部を含め、上袖部４ａと重なり合う同一の縫製（仕立て）が行われることはいうまでもない。
【００２５】
さらに、上記留袖スタイルの縫目１２の糸をカット等によって解き離し、下袖部４ｂを上袖部４ａ内より下方に引出して伸展すると、元の振袖スタイルに復元する。
【００２６】
また前後の身ごろ１，２の下端側及び付加裾８には図１に示すように模様１４ａ〜１４ｃが施されているが、この例では模様１４ａ〜１４ｃの一部は前後の身ごろ１，２と付加裾８の両方に跨っているため、引き振袖スタイルではすべての模様が外観に表れる。そして模様１４ａ，１４ｂは両方に跨っているので少なくともその一部は振袖スタイル，留袖スタイルでも共に外観に表れる。
【００２７】
しかし、このような模様を付加裾８のみに限定して表した場合は、振袖スタイル，留袖（又は訪問着）スタイルでは模様が表れないスタイルにできるので、これらの模様の施し方により、衣装全体のイメージやタイプを仕立て分けることが可能であり、色留袖，訪問着等への用途に応じた変更を予め予定した仕立てが可能となる。
【００２８】
さらにこのような模様の施し方の変化は袖部４に対しても応用が可能であり、例えば袖部４の模様付けを、上袖部４ａと下袖部４ｂの両方に跨って施すか、例えば上下１／２ずつの長さに分けたいずれか一方のみに限定して施すか等により、予め衣装の用途に応じて選択した仕立てが可能となる。
【００２９】
以上のように本発明の衣装によれば、着用者の年齢に応じて当初は振袖スタイルで仕立てられるが、これを結婚式用の引き振袖やその後の年代に応じた留袖スタイル、訪問着スタイル等に任意に且つ相互に変更可能であり、一着の衣装を何代にもわたって着用できるという利点がある。
【００３０】
なお、本実施例の袖部を備えた振袖衣装で、付加裾８を設けない場合は、振袖と留袖又は訪問着の仕立て直しによる相互の転用が可能である。
【符号の説明】
【００３１】
１  前身ごろ
２  後身ごろ
３  袖口
４  袖部
４ａ  上袖部
４ｂ  下袖部
４ｍ  前袖
４ｎ  後袖
７    折目
８    付加裾
９    カバー布
１０  詰め物
１１  縫目
１２  縫目
１３  縫目
１４ａ〜１４ｃ  裾模様
Ｌ１  身丈
Ｌ２  付加裾丈
Ｌ３  上袖丈
Ｌ４  下袖丈
【図１】
2018104881.tif 000003
【図２】
2018104881.tif 000004
【図３】
2018104881.tif 000005